(57)【要約】【課題】熱融着力の弱いシール部がなく、しかも電子レンジ等で加熱処理仕手も破裂することのない蒸気抜き機能を有する包装袋とそれを用いた包装体の提供。【解決手段】合成樹脂フィルムからなり上縁部（１１）、両側縁部（１２、１３）、底縁部（１４）に各シール部を有する包装袋（１０）において、上側に位置する２つの隅角部にはそれぞれ斜め上方に向けて突出シール部（１５、１６）が設けられ、一方の突出シール部（１５）の中央近傍には小窓（１７）が穿設され、もう一方の突出シール部（１６）の近傍で側縁部のシール部の外縁に切り込み（ｎ）が設けられている。上縁部（１１）は内方に向けて凹んだ形状とする。一方の突出シール部（１５）の中央近傍に穿設された小窓（ｎ）は、もう一方の突出シール部（１６）の最大幅より小さく形成されている。【選択図】図１
2004345681.tif 000002
【特許請求の範囲】
【請求項１】
合成樹脂フィルムからなり、上縁部、両側縁部、底縁部に各シール部を有する包装袋において、
上側に位置する２つの隅角部には、それぞれ斜め上方に向けて突出シール部が設けられ、一方の突出シール部の中央近傍には小窓が穿設され、もう一方の突出シール部の近傍で側縁部のシール部の外縁に切り込みが設けられ、ていることを特徴とする、蒸気抜き機能を有する包装袋。
【請求項２】
前記上縁部は、内方に向けて凹んだ形状であることを特徴とする、請求項１記載の蒸気抜き機能を有する包装袋。
【請求項３】
前記一方の突出シール部の中央近傍に穿設された小窓は、もう一方の突出シール部の最大幅よりも小さく形成されていることを特徴とする、請求項１又は２記載の蒸気抜き機能を有する包装袋。
【請求項４】
請求項１、２又は３記載の包装袋に内容物を充填して密封した後、小窓が穿設されていないもう一方の突出シール部を小窓が穿設されている一方の突出シール部の小窓に挿入して、外縁に設けられた切り込みを小窓の縁に引っかけて加熱し、包装体の内部圧力が上昇したとき、前記切り込みから包装袋が破れて内圧が放出されるようにしたことを特徴とする、蒸気抜き機能を有する包装体。
【請求項５】
前記包装袋を電子レンジ加熱用の包装袋に用いたことを特徴とする、請求項１、２又は３記載の蒸気抜き機能を有する包装袋。
【発明の詳細な説明】
【０００１】
【発明の属する技術分野】
本発明は、蒸気抜き機能を有する包装袋と該包装袋を用いた蒸気抜き機能を有する包装体に関し、特には、電子レンジ加熱が可能な蒸気抜き機能を有する包装袋とその包装体に関する。
【０００２】
【従来の技術】
従来、調理済あるいは半調理済の食品等を耐熱性のプラスチックフィルムからなる包装袋に充填して、食する直前に電子レンジにより加熱調理する包装食品が提案されている。
【０００３】
しかし、この包装食品は、電子レンジにより加熱すると、加熱時に食品等から発生する蒸気圧等の内圧により、包装袋が破裂し内容物が飛散して電子レンジ内部を汚染してしまうなどの欠点があった。
【０００４】
このため、電子レンジで加熱する前に、あらかじめ、包装袋に、例えば、鋏等を用いて小さい孔など開けて、前記包装袋内部の内圧の上昇を抑えて包装袋の破裂を防止していた。
【０００５】
しかしながらこの方法では、加熱後に発生する水蒸気は、直ぐに包装袋の外に放出されてしまうため、水蒸気による蒸し調理効果が低減されるとともに包装袋内部の食品の乾燥が進行して食品の劣化をきたす場合がある。
【０００６】
これらの問題点を解消すべく、例えば、図４に示すような、プラスチックフィルムによりその同一面側を互いに当接させて、所定幅のヒートシールにより合掌状に接合する合掌接合部（１０５）を設け、底部に自立手段（１２２）を形成させて、その内部に加熱処理用の内容物（１０８）を密封包装させる包装体にあって、前記合掌接合部（１０５）は、包装体を自立させたとき、収納された内容物の上面より上部に位置し、加熱による包装体の内部圧力が上昇したとき、その逃圧を行う易開封性シールである加熱処理用包装体（１００）が提案されている（例えば、特許文献１）。
【０００７】
【特許文献１】
特開２０００−１８５７７７号公報（図１）
【０００８】
しかし、この方法を採用しても、易開封性シールがあるため、輸送途上など、あるいは、不慮の落下等により、易開封性シール部分からシール漏れ等の破袋の原因となる危険性があった。
【０００９】
【発明が解決しようとする課題】
本発明は、包装体を加熱した際に発生する以上のような問題点を解決するためになさたもので、熱融着力の弱いシール部を有せず、しかも、電子レンジ等で加熱処理しても破裂することのない蒸気抜き機能を有する包装袋とそれを用いた包装体を提供することを課題とする。
【００１０】
【課題を解決するための手段】
本発明の請求項１の発明は、合成樹脂フィルムからなり、上縁部、両側縁部、底縁部に各シール部を有する包装袋において、上側に位置する２つの隅角部には、それぞれ斜め上方に向けて突出シール部が設けられ、一方の突出シール部の中央近傍には小窓が穿設され、もう一方の突出シール部の近傍で側縁部のシール部の外縁に切り込みが設けられ、ていることを特徴とする、蒸気抜き機能を有する包装袋である。
【００１１】
このように請求項１に記載の発明によれば、上側に位置する２つの隅角部には、それぞれ斜め上方に向けて突出シール部が設けられ、一方の突出シール部の中央近傍には小窓が穿設され、もう一方の突出シール部の近傍で側縁部のシール部の外縁に切り込みが設けられ、ているので、小窓が穿設されていないもう一方の突出シール部を小窓が穿設されている一方の突出シール部の小窓の挿入して外縁に設けられた切り込みを小窓の縁に引っかけることができる。
【００１２】
請求項２の発明は、請求項１の発明において、前記上縁部は、内方に向けて凹んだ形状であることを特徴とする、蒸気抜き機能を有する包装袋である。
【００１３】
このように請求項２に記載の発明によれば、上縁部は、内方に向けて凹んだ形状であるので、小窓が穿設されていないもう一方の突出シール部を小窓が穿設されている一方の突出シール部の小窓に挿入して外縁に設けられた切り込みを小窓の縁に引っかけることが容易にできる。
【００１４】
請求項３の発明は、請求項１又は２の発明において、前記一方の突出シール部の中央近傍に穿設された小窓は、もう一方の突出シール部の最大幅よりも小さく形成されていることを特徴とする、蒸気抜き機能を有する包装袋である。
【００１５】
このように請求項３に記載の発明によれば、一方の突出シール部の中央近傍に穿設された小窓は、もう一方の突出シール部の最大幅よりも小さく形成されているので、小窓が穿設されていないもう一方の突出シール部を小窓が穿設されている一方の突出シール部の小窓に挿入した際、もう一方の突出シール部が簡単に小窓から抜け出ることがない。
【００１６】
また、請求項４の発明は、請求項１、２又は３記載の包装袋に内容物を充填して密封した後、小窓が穿設されていないもう一方の突出シール部を小窓が穿設されている一方の突出シール部の小窓に挿入して、外縁に設けられた切り込みを小窓の縁に引っかけて加熱し、包装体の内部圧力が上昇したとき、前記切り込みから包装袋が破れて内圧が放出されるようにしたことを特徴とする、蒸気抜き機能を有する包装体である。
【００１７】
このように請求項４に記載の発明によれば、請求項１、２又は３記載の包装袋に内容物を充填して密封した後、小窓が穿設されていないもう一方の突出シール部を小窓が穿設されている一方の突出シール部の小窓に挿入して、外縁に設けられた切り込みを小窓の縁に引っかけて加熱し、包装体の内部圧力が上昇したとき、前記切り込みから包装袋が破れて内圧が放出されるようにしてあるので、包装袋が破裂することがなく、内容物が急に飛び出すことがない。
【００１８】
また、請求項５の発明は、請求項１、２又は３の発明において、前記包装袋を電子レンジ加熱用の包装袋に用いたことを特徴とする、蒸気抜き機能を有する包装袋である。
【００１９】
このように請求項５に記載の発明によれば、この包装袋は電子レンジ用の包装袋として使用することが有用である。
【００２０】
【発明の実施の形態】
本発明の蒸気抜き機能を有する包装袋とそれを用いた包装体を一実施形態に基づいて以下に詳細に説明する。
本発明の蒸気抜き機能を有する包装袋は、例えば、図１に示すように、合成樹脂フィルムからなり、上縁部（１１）、両側縁部（１２、１３）、底縁部（１４）に各シール部を有する包装袋（１０）であって、上側に位置する２つの隅角部には、それぞれ斜め上方に向けて突出シール部（１５、１６）が設けられ、一方の突出シール部（１５）の中央近傍には小窓（１７）が穿設され、もう一方の突出シール部（１６）の近傍で側縁部のシール部の外縁には切り込み（ｎ）が設けられた構造を有するものである。
切り込み（ｎ）の形状はＩ字状、Ｖ字状等任意である。
【００２１】
また、上縁部（１１）を内方に向けて凹んだ形状に形成させることにより、隅角に設けた２つの突出シール部が包装袋から飛び出した形状になって、小窓が穿設されていないもう一方の突出シール部を小窓が穿設されている一方の突出シール部の小窓に挿入する操作がよりやりやすくなる。
内方に向ける凹んだ形状は、凹状、弓状など任意である。
【００２２】
さらに、一方の突出シール部（１５）の中央近傍に穿設された小窓（１７）を、もう一方の突出シール部（１６）の最大幅よりも小さく形成することにより、もう一方の突出シール部（１６）を小窓が穿設されている一方の突出シール部（１５）の小窓（１７）に挿入した際、もう一方の突出シール部が簡単に小窓から抜け出せなくすることができる。
【００２３】
包装袋（１０）の形状は、特に限定はされず、平袋でも良いし自立袋としても良い。また、必要に応じて、包装袋（１０）の表面には印刷層（図示せず）を設けても良い。
【００２４】
本発明の包装袋はこのような形状を有しているので、この包装袋の開口部分から内容物を充填し開口部分を熱融着した包装体（１０）を、もう一方の突出シール部（１６）を小窓が穿設されている一方の突出シール部（１５）の小窓（１７）に挿入して外縁に設けられた切り込み（ｎ）を小窓（１７）の縁に引っかけてから、電子レンジ等の加熱装置に入れ加熱すると、内容物に含まれている水分が沸騰したり、袋内部の水蒸気と空気の熱膨張等によって袋の内圧が上昇して袋は徐々に膨らみ、切り込み（ｎ）が徐徐に広がって行き、切り込みから内圧が抜けて行き、包装袋が急激に破裂することはない（図２および図３参照）。
【００２５】
包装袋（１０）に使用する合成樹脂フィルムは、電子レンジ加熱が可能で、耐熱性がある、例えば、〔外層〕二軸延伸ナイロンフィルム／線状低密度ポリエチレン〔内層〕、〔外層〕二軸延伸ポリプロピレンフィルム／酸化アルミニウム蒸着ポリエチレンテレフタレートフィルム／未延伸ポリプロピレンフィルム〔内層〕等の一般的に公知の積層フィルムが使用できる。
【００２６】
なお、加熱手段に電子レンジを用いない場合には、〔外層〕二軸延伸ナイロンフィルム／アルミニウム箔／線状低密度ポリエチレン〔内層〕、〔外層〕二軸延伸ポリエチレンテレフタレートフィルム／アルミニウム箔／二軸延伸ナイロンフィルム／線状低密度ポリエチレン〔内層〕等の一般的に公知のアルミニウム箔を使用した積層フィルムも使用できる。
【００２７】
【発明の効果】
上記のように、本発明の蒸気抜き機能を有する包装袋とそれを用いた包装体は、シール部分に易剥離部を必要としないため、落下、耐圧、輸送等の衝撃による破袋が減少する。
【図面の簡単な説明】
【図１】本発明の蒸気抜き機能を有する包装袋の一実施例を示す、平面説明図である。
【図２】包装袋に内容物を充填し、開口部分を密封シールした包装体の小窓が穿設されていないもう一方の突出シール部を小窓が穿設されている一方の突出シール部の小窓に挿入して、小窓の外縁を切り込みに引っかけた状態を示す、模式説明図である。
【図３】加熱装置で加熱し、内圧が上がるにしたがい包装体が膨らむ状態を示す、模式説明図である。
【図４】従来の蒸気抜き機能を有する包装体の一例を示す、斜視説明図である。
【符号の説明】
１０‥‥包装袋、包装体
１１‥‥上縁部
１２‥‥側縁部
１３‥‥側縁部
１４‥‥底縁部
１５‥‥一方の突出シール部
１６‥‥もう一方の突出シール部
１７‥‥小窓
ｎ‥‥切り込み
１００‥‥加熱処理用包装体
１０５‥‥合掌接合部
１０８‥‥内容物
１２２‥‥自立手段
【図１】
2004345681.tif 000003
【図２】
2004345681.tif 000004
【図３】
2004345681.tif 000005
【図４】
2004345681.tif 000006